(57)【要約】      （修正有）【課題】インクを充填する際に、インクを外部に漏らさず安定的に充填できるキャップ部材を提供する。【解決手段】インクを収納するインク収納容器のインク供給口を覆う蓋部材２とインク収納容器を位置決めする係合部６及び７とを有するキャップ部材１であって、蓋部材２は、インク供給口に連通する、蓋部材２の一端から他端へ貫通する貫通孔５と、貫通孔５に対して着脱可能な栓部材とを備える。【選択図】図１
0003156855.tif 000002
【実用新案登録請求の範囲】
【請求項１】
インクを収納するインク収納容器のインク供給口を覆う蓋部材と前記インク収納容器を位置決めする係合部とを有するキャップ部材であって、
前記蓋部材は、前記インク供給口に連通する、前記蓋部材の一端から他端へ貫通する貫通孔と、前記貫通孔に対して着脱可能な栓部材と、を備えたことを特徴とするキャップ部材。
【請求項２】
前記インク収納容器は、上面、底面、前面、後面及びこれらをつなぐ１対の側面が主要
面として構成された概ね箱型で、前記後面側に位置する第１係止部材と、前記前面側に位置する第２係止部材と、大気を導入する大気孔を有し負圧発生部材を収納する負圧室と、インクを充填するインク充填孔を有し前記負圧室に隣接して位置しインクを収納する空間であるインク室と、前記負圧室と前記インク室を仕切る仕切り壁と、前記負圧室と前記インク室を連通する連通部とを備え、前記インク供給口は、前記底面の前記負圧室側から外部へ突出し多孔質部材が挿填された容器であって、
前記係合部は、前記第１係止部材と係合する第１係合部と、前記第２係止部材と係合する第２係合部とを備えたことを特徴とする請求項１に記載のキャップ部材。
【請求項３】
前記キャップ部材は、前記前面、前記後面、前記１対の側面夫々の下部及び底面全体を
覆って前記収納容器を収容する収容部を備えたことを特徴とする請求項２に記載のキャ
ップ部材。
【請求項４】
前記インク収納容器と係合した状態で前記インク収納容器の前記底面と平行な面内で且つ前記底面の垂直下方への投影面の４角夫々の２辺の延長線の外側に位置する支点を含む脚部を有することを特徴とする請求項２または３に記載のキャップ部材。
【考案の詳細な説明】
【技術分野】
【０００１】
本考案は、インクを収納するインク収納容器のインク供給口を密封し且つインクを充填する治具としてのキャップ部材に関する。
【背景技術】
【０００２】
近年、インクジェットプリンタに用いられるインク収納容器が多種類販売されている。
【０００３】
特許文献１には、「負圧発生部材を収容すると共に大気との連通を得るための大気連通口を備えた第１収納室と、該大気連通口から離れた位置に設けられた微少連通部のみを介して該第１収納室に対して連通するが実質的に密閉状態で、第１収納室へ供給するためのインクを直接収納するための第２収納室と、を備えたインクジェットカートリッジであって、該インクジェットカートリッジに対するインク再充填が上記第２収納室から実施することを可能にするインク再充填のためのインク再充填口と、該インク再充填口に対して取外し可能な封止部材と、を備えたことを特徴とするインクジェットカートリッジ」が開示されている。
【０００４】
該文献の段落[０２１１]には、「図４５に第２収納室のインクが消費されたインクカートリッジと再充填用のインク９を詰めたインク注入ノズルを持ち蛇腹構造体のインク再充填用容器４８……を示した。インク再充填口は、……インク注入ノズル外径より大きな開口を形成した場合の例示であり、図４７ｂは、インク注入ノズル外径と同等かそれより僅かに小さい開口を２箇所に形成した場合の例示である。いずれの場合もインクを再充填する場合にインクを好ましく第２収納室に充填するものである。」と記載されており、上記蛇腹構造体のインク再充填用容器４８は、該インク再充填口からインクを滴下あるいは蛇腹を押し潰してインクを圧入するためのものであることを示している。
【０００５】
特許文献２には、その段落[００１３]において、インクが充填されたインクボトルを大気孔に連結しインク供給口から注射器で吸引し減圧してインク収納容器にインクを充填するインクカートリッジ簡易充填ユニットが開示されている。
【先行技術文献】
【特許文献】
【０００６】
【特許文献１】特許３２２４６４３号
【特許文献２】特願２００６−１３９３９８号（Ｐ００１１）
【考案の概要】
【考案が解決しようとする課題】
【０００７】
しかし、本考案者が特許文献１に従って蛇腹容器に満たされたインクをインク収納容器に充填したところ、インク充填孔周辺に付着したインクがインク室内部から出る空気と共に溢れ出て、手や周辺の機器を汚す現象がたびたび発生した。即ち、本考案者は該文献のような小さい孔から密封容器にインクを滴下又は圧入した場合、空気の排出方法に課題が残ることを見出した。
【０００８】
また、本考案者は、インクが充填されるインク室と負圧発生部材が挿填された負圧材室の２室から構成され、負圧材室側に大気孔とインク供給口が供えられたインクカートリッジに、特許文献２に従って注射器でインク供給口を吸引して大気孔からインクをインクカートリッジに充填すると、インク室にインクが充填される前に負圧材室がインクで満液となり、注射器のシリンダー内にインクが吸引され、インク室には十分インクが充填されず、またこのようにしてインクが充填されたインクカートリッジを、プリンタに装着しようとしてインク供給口を下向きにすると、インク供給口からインクが漏れ出てくるという問題があることを見出した。
【０００９】
本考案の目的は、特許文献１に記載の２室からなるイン収納容器などのインク収納容器に対してインクを充填する際に、インクを外部に漏らさず充填でき、密閉も可能なキャップ部材を提供することである。
【課題を解決するための手段】
【００１０】
上記の目的を達成するため鋭意検討を行った結果、本考案のインク収納容器を完成するに至った。即ち本考案は、下記のとおりである。  
（１）インクを収納するインク収納容器のインク供給口を覆う蓋部材と前記インク収納容器を位置決めする係合部とを有するキャップ部材であって、
前記蓋部材は、前記インク供給口に連通する、前記蓋部材の一端から他端へ貫通する貫通孔と、前記貫通孔に対して着脱可能な栓部材と、を備えたことを特徴とするキャップ部材。
（２）前記インク収納容器は、上面、底面、前面、後面及びこれらをつなぐ１対の側面が主要面として構成された概ね箱型で、前記後面側に位置する第１係止部材と、前記前面側に位置する第２係止部材と、大気を導入する大気孔を有し負圧発生部材を収納する負圧室と、インクを充填するインク充填孔を有し前記負圧室に隣接して位置しインクを収納する空間であるインク室と、前記負圧室と前記インク室を仕切る仕切り壁と、前記負圧室と前記インク室を連通する連通部とを備え、前記インク供給口は、前記底面の前記負圧室側から外部へ突出し多孔質部材が挿填された容器であって、
前記係合部は、前記第１係止部材と係合する第１係合部と、前記第２係止部材と係合する第２係合部とを備えたことを特徴とする上記（１）に記載のキャップ部材。
（３）前記キャップ部材は、前記前面、前記後面、前記１対の側面夫々の下部及び底面全体を覆って前記収納容器を収容する収容部を備えたことを特徴とする上記（２）に記載のキャップ部材。
（４）前記インク収納容器と係合した状態で前記インク収納容器の前記底面と平行な面内で且つ前記底面の垂直下方への投影面の４角夫々の２辺の延長線の外側に位置する支点を含む脚部を有することを特徴とする上記（２）または（３）に記載のキャップ部材。
【考案の効果】
【００１１】
本考案（１）のキャップ部材によれば、栓部材を取り外すことによってインク収納容器を位置決めした状態で、インク収納容器のインク供給口とキャップ部材の蓋部材を密接して係合させインク充填のための外部への連通状態を確保しつつ、インク収納容器内を減圧状態にすることによってインクを、貫通孔、インク供給口、負圧材室、連通部を経てインク室へ容易に且つ漏れのないように充填することが可能となる。また本キャップ部材は栓部材が装着された状態で、特に上記従来の２室構造タイプのインク収納容器において、インク供給口の密封部材として機能する。即ち、本キャップ部材はインク充填という機能とインク収納容器の密封部材としての機能の２つの機能を有する優れた部材である。
【００１２】
本考案（２）によれば、インク収納容器の第１係止部と第２係止部がキャップ部材の第１係合部と第２係合部と係合することによって、インク収納容器にインクを充填する際にインク収納容器を安定させてインクを充填することが可能となる。
【００１３】
本考案（３）によれば、キャップ部材がインク収納容器の下部全体を収容部に収容することによって、インク収納容器の側面及び底面がキャップ部材に支えられ、第１及び第２係合部と協働して、インク収納容器とキャップ部材をより安定して係合させることが可能となる。
【００１４】
本考案（４）によれば、キャップ部材の脚部が、インク収納容器底面の垂直下方への投影面の４角夫々の２編の延長線の外側に支点を有することによって、平板上にキャップ部材を安定に脚立させることが可能となりまた該キャップ部材に装着したインク収納容器の上部からの押圧力にも抗して安定に脚立することが可能となる。
【図面の簡単な説明】
【００１５】
【図１】本考案のキャップ部材の上部斜視図である。
【図２】本考案のキャップ部材の下部斜視図である。
【図３】本考案のキャップ部材の側面図である。
【図４ａ】本考案のキャップ部材の栓部材を装着した状態の平面図である。
【図４ｂ】本考案のキャップ部材の栓部材を外した状態の平面図である。
【図５ａ】本考案のキャップ部材の裏面図で、
【図５ｂ】本考案のキャップ部材の栓部材を外した状態の裏面図である。
【図６】本考案のキャップ部材の正面図である。
【図７】本考案のキャップ部材の背面図である
【図８】蓋部材の平面拡大図である。
【図９】蓋部材のＢ−Ｂ矢視図である。
【図１０】本考案のキャップ部材のＡ−Ａ矢視図である。
【図１１】本実施形態のインク収納容器の斜視図である。
【図１２】本実施形態のインク収納容器の裏面斜視図である。
【図１３】本実施形態のインク収納容器の長手方向断面模式図である。
【図１４ａ】本考案のキャップ部材にインク収納容器を装着した状態の正面斜視である。
【図１４ｂ】本考案のキャップ部材にインク収納容器を装着した状態の背面斜視図である。
【図１５】インク収納容器が装着された本考案のキャップ部材と、インク収納容器にインクを充填するための治具一式の装着前の図である。
【図１６】インク収納容器が装着された本考案のキャップ部材に、インク収納容器にインクを充填するための治具一式を装着した状態の図である。
【００１６】
以下本考案のキャップ部材の一実施形態について図面を参照して説明するが、本考案はこの実施形態に限られるものではない。
【００１７】
本実施形態によるキャップ部材１は図１〜図１０に、インク収納容器２０は図１１及び図１３、キャップ部材１とインク収納容器の係合状態は図１４ａ及び図１４ｂに、キャップ部材１を使用してインクをインク収納容器２０に充填する状態は図１５及び図１６に示す。
【００１８】
本考案のキャップ部材１は概略的には、前壁１１、後壁１２、底壁１３、右側壁１４、左側壁１５、からなる。中央の凹部がインク収納容器２０を収容する収容部８、収容部８の底壁１３にはインク収納容器２０の底面３０と接して支持し本キャップ部材１を補強するリブ１６、収容部８の長手方向後方寄りの更に窪んだ位置にインク供給口２６を密封する弾性のある蓋部材２、キャップ部材１の後壁１２にインク収納容器２０の突起状の第１係止部２１を受け入れて係合する穴状の第１係合部６、キャップ部材１の前壁１１の上方から斜め上方に延長したインク収納容器２０の突起状部の上面と係合する爪状の第２係合部７、が形成されている。キャップ部材１を構成する材質は上記の形状を維持できれば特に限定するものではないが、インク収納容器２０を収容部に摺動させて装着し、第１及び第２係合部に嵌め込み係合させるためにはキャップ部材は若干の柔軟性有することが好ましく、その意味で樹脂製の成型品が望ましい。なお、第１係合部６は本図では１個の穴で形成されているが、係合の安定性を向上させる意味で２個以上設けることも可能である。
【００１９】
図１はキャップ部材１の正常姿勢の斜視図、図２はキャップ部材１の裏面斜視図である。キャップ部材１は、前後及び左右側面１１、１２、１４及び１５の夫々の角部にキャップ部材１を平板上に安定に支持する支点９を有する。キャップ部材１を正常な姿勢に置いた場合、支点９はキャップ部材１の最下部に形成される。また支点と支点の間は稜あるいは面で一体になっていてもよい。
【００２０】
図８〜図１０は蓋部材関連の図である。図９（断面図：Ｂ−Ｂ矢視図）のとおり、蓋部材２は点線から下方の突起部３及び中央に表側から裏側に貫通する貫通孔５を有し、突起部３の下方、即ち蓋部材の裏側の先端部に、蓋部材２がキャップ部材１から外れ難くするための凸部１７を有する。蓋部財２はシリコンゴム製であって弾力性があるのでインク収納容器２０のインク供給口２６に密着して密封可能である。またシリコンゴムはアルコールを含むインクに対する耐久性が良好なのでインクに接触する蓋部材２の材質として適切である。
【００２１】
図１１はインク収納容器２０の斜視図、図１２インク収納容器２０の裏面斜視図、図１３はインク収納容器２０の側面断面模式図である。インク収納容器２０は、上面２９、底面３０、前面２７、後面２８、右側面３１及び左側面３２が主要面として構成された概ね箱型で、後面２８に位置する第１係止部材２１と、前面２７側に位置する突状の第２係止部材２２と、大気を導入する大気孔２４を有し負圧発生部材を収納する負圧材室３３と、インクを充填するインク充填孔２４を有し負圧材室３３に隣接して位置しインクを収納する空間であるインク室３４と、負圧材室３３と前記インク室３４を仕切る仕切り壁３５と、負圧材室３３とインク室３４を連通する連通部２５とを備え、インク供給口２６は底面３０の負圧材室３３側から外部へ突出し多孔質部材が挿填された容器である。
【００２２】
図１４ａ、図１４ｂはインク収納容器２０をキャップ部材１に装着した状態の図で
ある。インク収納容器２０の前面２７、後面２８、右側面３１、左側面３２の夫々の下部及び底面３０全体が収容部８に挿入され、インク収納容器２０の第１係止部２１はキャップ部材１の第１係合部６と係合し、インク収納容器２０の第２係止部２２はキャップ部材１の第２係合部７と係合し、これによって蓋部材２の表面２ａはインク収納容器２０のインク供給口２６に密接しインク供給口２６を密封している。
【００２３】
インク収納容器２０をキャップ部材１に装着する手順は次のとおりである。第１係止部２１を第１係合部６に挿入する。インク収納容器のインク供給口２６を蓋部２の表面２ａに押し付けながらインク収納容器の前面を下方に回動し第２係止部２２の突起部上面２２ａが第２係合部下面７ａに入り込んだ時点でインク供給口２６が弾性のある蓋部２の表面２ａに密接しインク供給口２２を密封して、インク収納容器２０とキャップ部材１の係合が完了する。
【００２４】
図１５は、インク収納容器２０が装着された本考案のキャップ部材１と、インク収納容
器２０にインクを充填するための治具一式の装着前の図である。インクボトル４１はインク収納容器２０にインクを充填するためのインクの貯槽である。インク導入管部材４０は、インク導入チューブ４０ａと、インクボトル４１と連結するためのボトル側ノズル４０ｂ、キャップ部材１と連結するためのキャップ側ノズル４０ｃとからなる。注射器４２はインク充填孔２４からインク収納容器２０内を減圧吸引するための注射器４２である。栓部材４は、蓋部材２の貫通孔５を密封するための栓であるが、インク充填の際には大気孔２３の密封用に用いられる。
【００２５】
図１６は、本考案のキャップ部材１に、インク収納容器２０にインクを充填するための
治具一式が装着された状態の図である。インク収納容器２０の大気孔２３が栓部材４によって密封され、インクボトル４１とインク導入管部材４０とキャップ部材１とインク収納容器２０及び注射器４２が密接して連結された状態である。この状態から注射器４２のピストンを引くと、インク収納容器２０内が減圧状態となり、インクボトル４１からインク４３がインク導入管部材４０を経由してインク収納容器２０内に導入される。インク室３４のインクレベルが負圧材室３３の負圧材の上面と同等の高さまで到達したら注射器による吸引を停止し、大気孔２３を開放し、次に注射器４２を外し、大気孔２３及びインク充填孔２４を密封した後、貫通孔５に挿入されているキャップ側ノズル４０ｃを取り外し、キャップ部材１とインク収納容器２０を分離する。
【符号の説明】
【００２６】
１  キャップ部材
２  蓋部材
２ａ  蓋部材表面
３  突起部
４  栓部材
５  貫通孔
６  第１係合部
７  第２係合部
７ａ  第２係合部下面
８  収容部
９  支点
１０  脚部
１１  前壁
１２  後壁
１３  底壁
１４  右側壁
１５  左側壁
１６  リブ
２０  インク収納容器
２１  第１係止部
２２  第２係止部
２２ａ  
２３  大気孔
２４  インク充填孔
２４ａ  インク充填孔栓部材
２５  連通孔
２６  インク供給口
２７  前面
２８  後面
２９  上面
３０  底面
３１  右側面
３２  左側面
３３  負圧材室
３４  インク室
３５  仕切り壁
４０  インク導入管部材
４０ａ  インク導入チューブ
４０ｂ  ボトル側ノズル
４０ｃ  キャップ側ノズル
４１  インクボトル
４２  注射器
４３  インク
【図１】
0003156855.tif 000003
【図２】
0003156855.tif 000004
【図３】
0003156855.tif 000005
【図４ａ】
0003156855.tif 000006
【図４ｂ】
0003156855.tif 000007
【図５ａ】
0003156855.tif 000008
【図５ｂ】
0003156855.tif 000009
【図６】
0003156855.tif 000010
【図７】
0003156855.tif 000011
【図８】
0003156855.tif 000012
【図９】
0003156855.tif 000013
【図１０】
0003156855.tif 000014
【図１１】
0003156855.tif 000015
【図１２】
0003156855.tif 000016
【図１３】
0003156855.tif 000017
【図１４ａ】
0003156855.tif 000018
【図１４ｂ】
0003156855.tif 000019
【図１５】
0003156855.tif 000020
【図１６】
0003156855.tif 000021